(57)【要約】      （修正有）【課題】簡単な組立てと取り外し効果を持ち、携帯に便利な打撃練習機を提供する。【解決手段】底台４は、ホームプレート状を為し、中央には貫通し且つ下方層に階段溝を備える貫通孔４２１を設け、並びに、最低二つの板に分かれ、連結面側には対応し嵌合する内側窪み溝または外側突出体を設けて一体化する。外側突出体の照準を内側窪み溝内に合わせて嵌入して一つのホームプレートを形成し、その後、底管３１を貫通孔内に挿入し、第一環状制御部３１１で周囲エッジの上端を押止し、続いて定位嵌合部３２を階段溝から挿入し、第二環状制御部３２１を階段溝内に嵌合してそれを圧し、更に第一環状制御部と第二環状制御部で底台の中央を挟み込んで固定し、環状管３を底台の上に立ててから受け台３４を上部管上に間接的に嵌合することにより打撃練習機の組立てが完成し、簡単な組立てと迅速な取り外しができ携帯に便利という効果を持つことを特徴とする。【選択図】図１
0003160515.tif 000002
【実用新案登録請求の範囲】
【請求項１】
複数の双錐環状体を繋ぎ合わせて複数節の伸縮型管体で、上部には上部管を設けて受け台を配置し、前記受け台の自由端には受け溝を形成し、底部には底管及び定位嵌合部を設け、底管の末端位置のエッジに設ける第一環状制御部は貫通孔周囲エッジの上端を圧して止まり、並びに、管口内側エッジに設けた内ネジ山部は定位嵌合部の上半部に設けた外ネジ部と螺合し、定位嵌合部の下半部のエッジに設けた第二環状制御部が階段溝内を圧して止まる環状管と、
ホームプレート状を為し、中央には貫通し且つ下方層に階段溝を備える貫通孔を設け、並びに、最低二つの板に分かれ、連結面側には丁度対応し嵌合して一体を形成する内側窪み溝または外側突出体を設ける底台とにより構成され、
外側突出体の照準を内側窪み溝内に合わせて嵌入して一つのホームプレートを形成し、第一環状制御部と第二環状制御部で底台の中央を挟み込んで固定し、環状管を底台の上に立て、複数の双錐環状体を相互に引っ張り伸ばしたり圧縮して形状を変化させることにより角度を調整変化させる作用を持ち、並びに、位置回復機能の弾性回復力を備えている為、若干の衝撃を受けた後、元の位置に戻り定位することが可能で、簡単な着脱及び位置移動防止することを特徴とする打撃練習機。
【請求項２】
前記受け台と伸縮型管体とは、二つの部品を間接的に嵌設するか直接延長上に連結して一体化することを特徴とする請求項１記載の打撃練習機。
【請求項３】
前記底台は前板と中板に分けられ、前記前板の連結面側には内側窪み溝或いは外側突出体を設けて、中板に設ける外側突出体或いは内側窪み溝に丁度対応し嵌合して一体化することを特徴とする請求項１記載の打撃練習機。
【請求項４】
複数の双錐環状体を繋ぎ合わせて複数節形成し、最低一組の上ネジ部及び下ネジ部に分かれる伸縮型管体で、上部には上部管を設けて受け台を連結し、前記受け台の自由端には受け溝を形成し、底部には底管及び定位嵌合部を設け、底管の末端位置エッジに設ける第一環状制御部は貫通孔周囲エッジの上端を圧して止まり、並びに、その管口内側エッジに設けた内ネジ山部は、定位嵌合部の上半部に設けた外ネジ部と螺合し、また、定位嵌合部の下半部のエッジに設けた第二環状制御部は階段溝内を圧して止まる環状管と、
ホームプレート状を為し、中央には貫通し且つ下方層に階段溝を備える貫通孔を設け、並びに、最低二つの板に分かれ、連結面側には丁度対応し嵌合して一体化する内側窪み溝または外側突出体を設ける底台とにより構成され、
外側突出体の照準を内側窪み溝内に合わせて嵌入して一つのホームプレートを形成し、第一環状制御部と第二環状制御部で底台の中央を挟み込んで固着し、上ネジ部と下ネジ部を螺合して環状管を形成し、環状管を底台上に立て、複数の双錐環状体を相互に引っ張り伸ばしたり圧縮して形状を変化させることにより角度を調整変化する作用を持ち、並びに、位置回復機能の弾性回復力を備えている為、若干の衝撃を受けて元の位置に戻り定位することが可能で、簡単な着脱及び位置移動防止することを特徴とする打撃練習機。
【請求項５】
前記受け台と伸縮型管体とは、二つの部品を間接的に嵌設するか直接延長上に連結して一体化することを特徴とする請求項４記載の打撃練習機。
【請求項６】
前記底台は前板と中板と後板に分かれ、前板と後板の連結面側には内側窪み溝或いは外側突出体を設けて、中板に設ける外側突出体或いは内側窪み溝に丁度対応し嵌合して一体化することを特徴とする請求項４記載の打撃練習機。
【考案の詳細な説明】
【技術分野】
【０００１】
本考案は、打撃練習機に関し、特に、数種類の角度方位を調整可能で、弾性の位置回復をし、使用者の打撃練習と便利な収納を提供する技術領域に係る。
【背景技術】
【０００２】
公知技術の特徴は、主に、底台２の中央に底台を貫通する貫通孔を設け、並びに、貫通孔の底部に階段溝を形成する。貫通孔の内側に定位嵌合部を嵌設し、並びに、定位嵌合部の一端には押圧エッジを形成し、他端には外ネジ山を形成し、並びに、スネーク管１の末端は定位嵌合部の外ネジ山と同様の内ネジ山を設ける内溝で、これによりスネーク管１は底台に突出する定位嵌合部の外ネジ山に螺合可能となり、前記スネーク管１は末端の上部とは異なりスネーク管１と嵌合を形成する受け台１１に連結する為、便利に角度を変化させることが可能で、しかも受け台１１の自由端には打撃体を配置し定位させる受け溝を形成し、ホームプレート状の底台２に位置するスネーク管１の湾曲角度を調整することにより、打撃体Ａは多種の角度及び打撃方位（例えば図１０〜図１１−Ａ）を持つが、結果として、現在の高度進歩による便利化、シンプル化の迅速な要求の下、現有する設計は既に要望に符合しないという欠点を抱えている。
【０００３】
この問題点に鑑み、本考案者は簡便性という需要と理念に基づき改良を加え、縮小化、弾性化の予期する効果を達成し、更に、新規性、進歩性、及び実用性を兼ね備える本考案を生み出した。
【考案の概要】
【考案が解決しようとする課題】
【０００４】
１．公知の打撃練習機の設計は、ホームプレート状底台に位置するスネーク管の湾曲角度に対する調整を主とし、球体に多種の角度及び打撃方位を持たせたものである。前記スネーク管は良好な固定効果を持つものの、初心者が打撃練習をする時によく発生する上部の受け台への衝撃によって、傾斜、位置移動が起き易く、続けて打撃するには元来の位置に戻して位置調整を繰り返す面倒があり、学習意欲や興味を大幅に減退させる。
【０００５】
２．公知の打撃練習機は収納する場合、スネーク管、底台を個別に独立する二つの個体に分解して、再にスネーク管を図１２の如くほぼ環状に巻く必要があり、二者を重ね合わせて収納形態にする。自分で携帯するか携帯袋に入れる時、体積が大き過ぎて不便であり、収納時の空間運用の無駄を引き起こす。
【課題を解決するための手段】
【０００６】
１．本考案の主な目的は、次の打撃練習機を提供することにある。：先ず外側突出体の照準を内側窪み溝内に合わせて嵌入し、前板と中板で一つのホームプレートを形成し、その後、底管を貫通孔内に挿入し、第一環状制御部で周囲エッジの上端を押止し、続いて定位嵌合部を階段溝から挿入し、外ネジ部と底管の管口内側縁の内ネジ山部を螺合し、第二環状制御部を階段溝内に嵌合してそれを圧し、更に第一環状制御部と第二環状制御部で底台の中央を挟み込んで固定し、環状管を底台の上に立ててから受け台を上部管上に間接的に嵌合することにより、打撃練習機の組立てが完成する。前述を逆方向に操作すると、個別に独立した受け台、環状管、前板、中板等に分解でき、簡単な組立てと迅速な取り外し効果を有する。
【０００７】
２．本考案の次の目的は、次の打撃練習機を提供することにある。：外側突出体を内側窪み溝に照準を合わせて嵌入し、前板と中板と後板によって一つのホームプレートを形成し、更に底管を貫通孔内に挿入し、第一環状制御部で周囲エッジを押止し、続いて定位嵌合部を階段溝から挿入して、外ネジ部と前記底管口内側エッジの内ネジ山部を螺合し、第二環状制御部で前記階段溝内を押止し、更に前記第一環状制御部と第二環状制御部を底台の中央を挟み込んで固定し、更に上ネジ部と下ネジ部を螺合して環状管を形成することにより、環状管を底台上に立たせる。また、受け台を上部管上に間接的に嵌合して打撃練習機の組立てが完成する。前記の逆方向に操作すると、個別に独立した受け台、最低二つの環状管、前板、中板、後板等に分解でき、簡単な組立てと迅速な取り外し効果を有する。
【０００８】
３．本考案のもう一つの目的は、次の打撃練習機を提供することにある。：練習者は要望に応じて底台に位置する環状管の湾曲角度または垂直高度を調整可能である。しかも打撃体に多種の角度及び打撃方位を持たせてある故、練習者はホームプレートの打撃位置に対する多種の異なる変化球をシュミレーションでき、並びに、打撃体を打った後、調整した環状管には位置回復機能を有する弾性回復力が若干の衝撃を受け止めて元の位置に戻り定位する作用があり、効果的に全方位的な練習を実現する。
【考案の効果】
【０００９】
本考案の打撃練習機は、組立てと取り外しが簡単で、携帯に便利であることを特徴とする。
【図面の簡単な説明】
【００１０】
【図１】本考案の立体分解図である。
【図２】本考案の立体図である。
【図３】本考案の断面分解図である。
【図４】多方向に曲伸する本考案の立体図である。
【図５】多方向に曲伸する本考案の正面図である。
【図６】本考案の底台に関する立体分解図である。
【図７】本考案の底台に関する裏側の立体図である。
【図８】本考案の底台に関する表側の立体図である。
【図９】本考案の長さ延長に関する立体図である。
【図１０】本考案の長さ延長に関する立体図である。
【図１１】本考案の長さ延長に関する立体図である。
【図１２】本考案の長さ延長に関する正面図である。
【図１３】本考案の長さ延長に関する正面図である。
【図１４】本考案の長さ延長に関する正面図である。
【図１５】本考案のもう一つの実施例に関する立体分解図である。
【図１６】本考案のもう一つの実施例に関する断面分解図である。
【図１７】三つの板に分けた底台の立体分解図である。
【図１８】三つの板に分けた底台の裏側に関する立体図である。
【図１９】三つの板に分けた底台の表側に関する立体図である。
【図２０】公知のスネーク管を伸ばした場合の立体図である。
【図２１】公知のスネーク管を伸ばした場合の正面図である。
【図２２】公知のスネーク管を多方向に曲げ伸ばした場合の立体図である。
【図２３】公知のスネーク管を多方向に曲げ伸ばした場合の正面図である。
【図２４】巻き付け収納時の公知のスネーク管に関する立体図である。
【考案を実施するための形態】
【００１１】
まず、図１〜図８に示す通り、本考案の打撃練習機は、主に、環状管３と底台４を備える。
【００１２】
前記環状管３は、複数の双錐環状体３５を繋ぎ合わせて複数節の伸縮型管体であり、複数の双錐環状体３５を相互に引っ張り伸ばしたり圧縮して形状を変化させて角度を調整変化させる作用を持たせることが可能である。また、位置回復機能の弾性回復力を備えている為、若干の衝撃を受けた後、元の位置に戻り定位することが可能で、しかもその上部には上部管３３を設けて受け台３４を配置する。前記受け台３４と前記伸縮型管体とは、二つの部品を間接的に嵌設するか直接延長上に連結して一体とし、前記受け台３４の自由端には受け溝３４１を形成して、打撃体Ａを配置して定位させ、その底部には底管３１及び定位嵌合部３２を設けて底台４の貫通孔４２１及び階段溝４２２と螺合固定し、前記底管３１の末端位置のエッジに設ける第一環状制御部３１１は、貫通孔４２１の周囲エッジの上端を圧して止まり、並びに、その管口内側エッジに設けた内ネジ山部は、定位嵌合部３２の上半部に設けた外ネジ部３２２と螺合し、また、定位嵌合部３２の下半部のエッジに設けた第二環状制御部３２１が階段溝４２２内を圧して止まることにより、第一環状制御部３１１と第二環状制御部３２１は底台４中央を挟み込んで底台４上に立つ。
【００１３】
前記底台４は、ホームプレート状を為し、その中央には貫通孔４２１を貫通させる。貫通孔４２１下方層には階段溝４２２を設けて環状管３の底管３１及び定位嵌合部３２を組み合わせ、並びに、それは最低二つの板である前板４１及び中板４２に分け、前記前板４１の連結面側には内側窪み溝４１１或いは外側突出体を設けて、中板４２に設ける外側突出体４２３或いは内側窪み溝に丁度対応嵌合して一体を形成する。この構造により、携帯が便利、簡便で、弾力的に位置回復でき、便利な使用効果を達成する。
【００１４】
図１〜３及び図６〜８の本考案の実施例に示す通り、先ず中板４２の外側突出体４２３を前板４１の内側窪み溝４１１内に照準を合わせて嵌入し、二つの板体で一つのホームプレートを形成し、その後、底管３１を貫通孔４２１内に挿入し、第一環状制御部３１１で周囲エッジの上端を押止し、続いて定位嵌合部３２を階段溝４２２から挿入し、外ネジ部３２２と底管３１の管口内側縁の内ネジ山部を螺合するのと同時に、第二環状制御部３２１を階段溝４２２内に嵌合してそれを圧し、更に第一環状制御部３１１と第二環状制御部３２１で底台４の中央を挟み込んで固定し、環状管３を底台４の上に立て、最後に、受け台３４を上部管３３上に間接的に嵌合することにより、打撃練習機の組立てが完成する。前述を逆方向に操作すると、個別に独立した受け台３４、環状管３、前板４１、中板４２等に分解できる為、使用者が携帯する場合の物品の大きさ又は収納袋の体積を縮小し、簡単な組立てと迅速な取り外しで携帯の便利性に効果を有する。
【００１５】
図４、図５、図９〜１４に示す通り、使用する場合、練習者は、要望に応じて底台４に位置する環状管３の湾曲角度または垂直高度を調整可能である。しかも打撃体Ａに多種の角度及び打撃方位を持たせてある故、練習者はホームプレートの打撃位置に対する多種の異なる変化球をシミュレーションでき、並びに、打撃体Ａを打った後、調整した環状管３には位置回復機能を有する弾性回復力が若干の衝撃を受け止めて元の位置に戻り定位する作用がある為、位置移動を避ける実用性を提供し、効果的に全方位的な練習を実現する。
【００１６】
図１５〜１９に本考案の他の実施例を示す。：複数の双錐環状体３５を繋ぎ合わせて複数節の伸縮型管体を形成する環状管３は、最低一組の上ネジ部３７及び下ネジ部３６に分けて螺合連結または螺合を緩めて分離し、底台４は前板４１と中板４２と後板４３の三つの板に分け、前記後板４３の連結面側に設けた内側窪み溝４３１或いは外側突出体は、中板４２に設ける外側突出体４２３或いは内側窪み溝と丁度対応して嵌合し一体を形成する。中板４２の外側突出体４２３は前板４１及び後板４３の内側窪み溝４１１（４３１）に照準を合わせて嵌入し、二つの板体は一つのホームプレートを形成し、更に底管３１を貫通孔４２１内に挿入すると、第一環状制御部３１１は周囲エッジの上端を圧して止まり、続いて、定位嵌合部３２は階段溝４２２から挿入して、外ネジ部３２２と底管３１の管口内側エッジの内ネジ山部を螺合するのと同時に、第二環状制御部３２１は階段溝４２２内に嵌合して止まり、更に第一環状制御部３１１と第二環状制御部３２１とが底台４中央を挟み込んで固着し、上ネジ部３７と下ネジ部３６を螺合して環状管３を形成し、環状管３を底台４上に立て、最後に、受け台３４を間接的に上部管３３上に嵌設することにより、打撃練習機の組立てを完了する。前記の逆方向に操作すると、個別に独立した受け台３４、最低二つの環状管３、前板４１、中板４２、後板４３等の部分に分解できる為、使用者が携帯する場合の物品の大きさ又は収納袋の体積を縮小し、前述した同等効果を達成する。
【００１７】
前述した通り、本考案は、迅速な組立てと取り外しが可能な打撃練習機を確実に提供し、しかも、携帯する場合の物品の体積を縮小し、弾力的に位置回復する機能を具える実用性は、実用性の増進という実用新案の成立条件に符合するものである。
【符号の説明】
【００１８】
３          環状管
３１      底管
３１１  第一環状制御部
３２      定位嵌合部
３２１  第二環状制御部
３２２  外ネジ部
３３      上部管
３４      受け台
３４１  受け溝
３５      双錐環状体
３６      下ネジ部
３７      上ネジ部
４          底台
４１      前板
４１１  内側窪み溝
４２      中板
４２１  貫通孔
４２２  階段溝
４２３  外側突出体
４３      後板
４３１  内側窪み溝
【図１】
0003160515.tif 000003
【図２】
0003160515.tif 000004
【図３】
0003160515.tif 000005
【図４】
0003160515.tif 000006
【図５】
0003160515.tif 000007
【図６】
0003160515.tif 000008
【図７】
0003160515.tif 000009
【図８】
0003160515.tif 000010
【図９】
0003160515.tif 000011
【図１０】
0003160515.tif 000012
【図１１】
0003160515.tif 000013
【図１２】
0003160515.tif 000014
【図１３】
0003160515.tif 000015
【図１４】
0003160515.tif 000016
【図１５】
0003160515.tif 000017
【図１６】
0003160515.tif 000018
【図１７】
0003160515.tif 000019
【図１８】
0003160515.tif 000020
【図１９】
0003160515.tif 000021
【図２０】
0003160515.tif 000022
【図２１】
0003160515.tif 000023
【図２２】
0003160515.tif 000024
【図２３】
0003160515.tif 000025
【図２４】
0003160515.tif 000026
【手続補正書】
【提出日】平成22年4月23日(2010.4.23)
【手続補正１】
【補正対象書類名】実用新案登録請求の範囲
【補正対象項目名】請求項１
【補正方法】変更
【補正の内容】
【請求項１】
複数の双錐環状体を繋ぎ合わせて複数節の伸縮型管体で、上部には上部管を設けて受け台を配置し、前記受け台の自由端には受け溝を形成し、底部には底管及び定位嵌合部を設け、底管の末端位置のエッジに設ける第一環状制御部は貫通孔周囲エッジの上端を圧して止まり、並びに、管口内側エッジに設けた内ネジ山部は定位嵌合部の上半部に設けた外ネジ部と螺合し、定位嵌合部の下半部のエッジに設けた第二環状制御部が階段溝内を圧して止まる環状管と、  ホームプレート状を為し、中央には貫通し且つ下方層に階段溝を備える貫通孔を設け、並びに、最低二つの板に分かれ、連結面側には丁度対応し嵌合して一体を形成する内側窪み溝または外側突出体を設ける底台とにより構成されることを特徴とする打撃練習機。
【手続補正２】
【補正対象書類名】実用新案登録請求の範囲
【補正対象項目名】請求項４
【補正方法】変更
【補正の内容】
【請求項４】
複数の双錐環状体を繋ぎ合わせて複数節形成し、最低一組の上ネジ部及び下ネジ部に分かれる伸縮型管体で、上部には上部管を設けて受け台を連結し、前記受け台の自由端には受け溝を形成し、底部には底管及び定位嵌合部を設け、底管の末端位置エッジに設ける第一環状制御部は貫通孔周囲エッジの上端を圧して止まり、並びに、その管口内側エッジに設けた内ネジ山部は、定位嵌合部の上半部に設けた外ネジ部と螺合し、また、定位嵌合部の下半部のエッジに設けた第二環状制御部は階段溝内を圧して止まる環状管と、  ホームプレート状を為し、中央には貫通し且つ下方層に階段溝を備える貫通孔を設け、並びに、最低二つの板に分かれ、連結面側には丁度対応し嵌合して一体化する内側窪み溝または外側突出体を設ける底台とにより構成されることを特徴とする打撃練習機。